(57)【特許請求の範囲】
【請求項１】
燃焼部の下流側に配設した、主伝熱管及び副伝熱管と、前記主伝熱管と副伝熱管に貫通固定した受熱フィンと、給水路に設けられ、給水温度を検知する水温センサおよび給水流量を検知する水量センサと、前記主伝熱管の下流に設けられ、給湯の温水温度を検知する給湯センサ、給湯の出湯流量を制御する給湯水量制御弁および一定の圧力以上になると水路を開放する第１給湯過圧逃し弁と、前記副伝熱管の下流に設けられた風呂の往き通路と、循環水往き温度を検知する風呂往き温度センサと、浴槽から前記副伝熱管へ循環水が流れる風呂の戻り通路と、浴槽水を循環させる循環ポンプと、浴槽の湯温を検出する風呂戻り温度センサと、給湯の出湯路と風呂の戻り通路を接続する通路に設けられ、風呂の往き通路と戻り通路に給湯する給湯電磁弁と、前記給湯電磁弁と並列に設けられ、前記第１給湯過圧逃し弁の設定圧力よりも低い一定の圧力以上になると水路を開放する第２給湯過圧逃し弁および第２給湯過圧逃し弁用電磁弁と、前記循環ポンプにより浴槽水を循環し、前記副伝熱管により浴槽水が加熱されている場合に、前記第２給湯過圧逃し弁用電磁弁を「開」にする制御手段を備えた風呂給湯器。
【発明の詳細な説明】
【０００１】
【発明の属する技術分野】
本発明は、給湯と風呂の追焚きのできる風呂給湯器に関するものである。
【０００２】
【従来の技術】
従来の風呂給湯器は図２に示すような構成になっていた。
【０００３】
水は水入口より水量センサ１、水温センサ２を通り、受熱フィン１０、主伝熱管３で熱を吸収して、給湯センサ４、給湯水量制御弁５、給湯過圧逃し弁９を通り、湯出口３０より放出される。ガスはガス入口よりガス元電磁弁６、ガス比例弁７を通り、バーナ８で燃焼される。
【０００４】
外部入力装置２２の入力信号により制御手段２３で浴槽水の追焚きを行う場合、循環ポンプ１５により、風呂接続アダプタ３３、風呂の戻り通路３２、水位センサ１３、切替２方弁１４、風呂戻り温度センサ１６、水流スイッチ１７、副伝熱管１１、風呂往き温度センサ１２、風呂の往き通路３１、風呂接続アダプタ３３と循環し、風呂戻り温度センサ１６で検出する湯温が低下したときには、ガス元電磁弁６、ガス比例弁７を通り、バーナ８で燃焼し、受熱フィン１０、副伝熱管１１で熱を吸収する。
【０００５】
外部入力装置２２の入力信号により制御手段２３で浴槽へのお湯はりを行う場合、受熱フィン１０、主伝熱管３で熱を吸収したお湯が給湯センサ４、給湯水量制御弁５を通り、給湯電磁弁１８、風呂の往き通路３１および風呂の戻り通路３２を通って、風呂接続アダプタ３３から浴槽に入る。
【０００６】
【発明が解決しようとする課題】
しかしながら、従来の風呂給湯器では、バーナ８で燃焼し受熱フィン１０、副伝熱管１１で熱を吸収して浴槽水の追焚きを行う場合に、主伝熱管３も加熱されるために給湯回路内の温度、圧力が上昇し、給湯の過圧逃し弁が作動し機器外部に水漏れが発生する可能性があるという課題があった。
【０００７】
【課題を解決するための手段】
上記課題を解決するために本発明の風呂給湯器は、給湯電磁弁と並列に設けられ、第１給湯過圧逃し弁の設定圧力よりも低い一定の圧力以上になると水路を開放する第２給湯過圧逃し弁および第２給湯過圧逃し弁用電磁弁と、循環ポンプにより浴槽水を循環し、前記副伝熱管により浴槽水が加熱されている場合に、第２給湯過圧逃し弁用電磁弁を「開」にする制御手段を備えたものである。
【０００８】
上記発明によれば、受熱フィン、副伝熱管で熱を吸収して浴槽水の追焚きを行う場合に、主伝熱管３が加熱され給水及び給湯の回路内の温度、圧力が上昇しても、第２給湯過圧逃し弁を「開」にして風呂の戻り通路、往き通路に圧力を逃すことにより、第１給湯過圧逃し弁が作動せず機器外部に水漏れが発生しないように制御することができる。
【０００９】
【発明の実施の形態】
本発明は、燃焼部の下流側に配設した主伝熱管及び副伝熱管と、前記主伝熱管と副伝熱管に貫通固定した受熱フィンと、給水路に設けられ、給水温度を検知する水温センサおよび給水流量を検知する水量センサと、前記主伝熱管の下流に設けられ、給湯の温水温度を検知する給湯センサ、給湯の出湯流量を制御する給湯水量制御弁および一定の圧力以上になると水路を開放する第１給湯過圧逃し弁と、前記副伝熱管の下流に設けられた風呂の往き通路と、循環水往き温度を検知する風呂往き温度センサと、浴槽から前記副伝熱管へ循環水が流れる風呂の戻り通路と、浴槽水を循環させる循環ポンプと、浴槽の湯温を検出する風呂戻り温度センサと、給湯の出湯路と風呂の戻り通路を接続する通路に設けられ、風呂の往き通路と戻り通路に給湯する給湯電磁弁と、前記給湯電磁弁と並列に設けられ、前記第１給湯過圧逃し弁の設定圧力よりも低い一定の圧力以上になると水路を開放する第２給湯過圧逃し弁および第２給湯過圧逃し弁用電磁弁と、前記循環ポンプにより浴槽水を循環し、前記副伝熱管により浴槽水が加熱されている場合に、前記第２給湯過圧逃し弁用電磁弁を「開」にする制御手段を備えたものである。
【００１０】
そして、受熱フィン、副伝熱管で熱を吸収して浴槽水の追焚きを行う場合に、主伝熱管が加熱され給水及び給湯の回路内の温度、圧力が上昇しても、第２給湯過圧逃し弁を「開」にして風呂の戻り通路、往き通路に圧力を逃すことにより、第１給湯過圧逃し弁が作動せず機器外部に水漏れが発生しないように制御することができる。
【００１１】
【実施例】
以下、本発明の実施例について図面を用いて説明する。
【００１２】
（実施例１）
図１は本発明の実施例１を示し、水は水入口より水量センサ１、水温センサ２を通り、受熱フィン１０、主伝熱管３で熱を吸収して、給湯センサ４、給湯水量制御弁５、第１給湯過圧逃し弁９を通り、湯出口３０より放出される。ガスはガス入口よりガス元電磁弁６、ガス比例弁７を通り、バーナ８で燃焼される。
【００１３】
外部入力装置２２の入力信号により制御手段２１で浴槽水の追焚きを行う場合、浴槽水は循環ポンプ１５により、風呂接続アダプタ３３、風呂の戻り通路３２、水位センサ１３、切替２方弁１４、風呂戻り温度センサ１６、水流スイッチ１７、副伝熱管１１、風呂往き温度センサ１２、風呂の往き通路３１、風呂接続アダプタ３３と循環し、風呂戻り温度センサ１６で検出する湯温が低下したときには、ガス元電磁弁６、ガス比例弁７を通り、バーナ８で燃焼し、受熱フィン１０、副伝熱管１１で熱を吸収する。この場合、制御手段２１で第２給湯過圧逃し弁用電磁弁１９を「開」にしておき、第１給湯過圧逃し弁９の設定圧力よりも低い一定の圧力以上になると第２給湯過圧逃し弁２０が作動し、水路を開放して風呂の戻り通路、往き通路に圧力を逃すことができる。
【００１４】
外部入力装置２２の入力信号により制御手段２１で浴槽へのお湯はりを行う場合、受熱フィン１０、主伝熱管３で熱を吸収したお湯が給湯センサ４、給湯水量制御弁５を通り、給湯電磁弁１８、風呂の往き通路３１および風呂の戻り通路３２を通って、風呂接続アダプタ３３から浴槽に入る。
【００１５】
上記発明によれば、受熱フィン、副伝熱管で熱を吸収して浴槽水の追焚きを行う場合に、主伝熱管が加熱され給水及び給湯の回路内の温度、圧力が上昇しても、第２給湯過圧逃し弁を「開」にして風呂の戻り通路、往き通路に圧力を逃すことにより、第１給湯過圧逃し弁が作動せず機器外部に水漏れが発生しないように制御することができる。
【００１６】
【発明の効果】
以上のように、本発明の風呂給湯器は、受熱フィン、副伝熱管で熱を吸収して浴槽水の追焚きを行う場合に、主伝熱管が加熱され給水及び給湯の回路内の温度、圧力が上昇しても、第２給湯過圧逃し弁を「開」にして風呂の戻り通路、往き通路に圧力を逃すことにより、第１給湯過圧逃し弁が作動せず機器外部に水漏れが発生しないように制御できるいう効果を有する。
【図面の簡単な説明】
【図１】本発明の実施例１の風呂給湯機の構成図
【図２】従来の風呂給湯機の構成図
【符号の説明】
１  水量センサ
２  水温センサ
３  主伝熱管
４  主伝熱管
５  水量制御弁
８  給湯バーナ
９  第１給湯過圧逃し弁
１０  受熱フィン
１１  副伝熱管
１２  風呂往き温度センサ
１５  循環ポンプ
１６  風呂戻り温度センサ
１７  水流スイッチ
１８  給湯電磁弁
１９  第２給湯過圧逃し弁用電磁弁
２０  第２給湯過圧逃し弁
２１  制御手段
２２  外部入力装置
【図１】
0003968896.tif 000002
【図２】
0003968896.tif 000003